(57)【要約】【課題】電子機器を保持することで電極端子が突出するとともに、部品点数が少なく、簡単な内部機構である電子機器置き台を提供する。【解決手段】電子機器置き台１は、第１ケース１５と第２ケース１６とにより、これらの間隔を変更可能にしてケース１１を形成する。第１ケースと第２ケースとの間隙には、電極端子１２及びコイルバネ１４が収容される。コイルバネ１４により、第１ケース１５と第２ケース１６とは、間隔を広げる方向に付勢される。コイルバネ１４による付勢に抗して、上ケース１５と下ケース１６との間隔を狭くすることで、電極端子１２が保持部２０に形成された孔２３から突出し、保持部２０に保持された電子機器２の接触端子２ａと接触して、電子機器２に電力が供給される。【選択図】図３
2008251284.tif 000002
【特許請求の範囲】
【請求項１】
電子機器に電力を供給する電子機器置き台であって、
第１ケースと第２ケースとを有し、前記第１ケースと第２ケースとの間隔が変更可能にされたケースと、
前記第１ケースと前記第２ケースとの前記間隔を広げる方向に付勢する付勢手段と、
前記第１ケースと前記第２ケースとの間隙に収容されて、前記第２ケースに固定された電極端子と
を備え、
前記第１ケースは、孔が形成された、前記電子機器を保持する保持部を有し、
前記付勢手段に抗して前記第１ケースと前記第２ケースとの前記間隔を狭くしたとき、前記電極端子が前記孔から前記保持部に突出して、前記保持部に保持された前記電子機器の接触端子と接触し、前記電子機器に電力を供給するように構成されている
電子機器置き台。
【請求項２】
前記第１ケースと前記第２ケースとは、一端を回転可能に結合し、前記一端を支点として他端が回転することにより、前記第１ケースと前記第２ケースとの間隔を変更可能に構成されている
請求項１に記載の電子機器置き台。
【請求項３】
前記第２ケースは、前記第２ケースに一体成形された係止部を有し、
前記係止部は、前記電極端子が前記電子機器の前記接触端子と電気的接続がとれた状態で前記電子機器に係止する位置に設けられる
請求項１又は２に記載の電子機器置き台。
【請求項４】
前記第１ケース及び前記第２ケースのいずれか一方に突起を有し、
他方に前記第１ケースと第２ケースとの間隔となる方向に伸びた前記突起の大きさより大きく形成された、前記突起が移動可能に配される突起被係合部を有する
請求項１〜３のいずれか一項に記載の電子機器置き台。
【請求項５】
電子機器と前記電子機器に電力を供給する電子機器置き台からなる電子機器セットであって、
前記電子機器置き台は、
第１ケースと第２ケースとを有し、前記第１ケースと前記第２ケースとの間隔が変更可能にされたケースと、
前記第１ケースと前記第２ケースとの前記間隔を広げる方向に付勢する付勢手段と、
前記第１ケースと前記第２ケースとの間隙に収容されて、前記第２ケースに固定された電極端子と
を備え、
前記第１ケースは、孔が形成された、前記電子機器を保持する保持部を有し、
前記付勢手段に抗して前記第１ケースと前記第２ケースとの前記間隔を狭くしたとき、前記電極端子が前記孔から前記保持部に突出して、前記保持部に保持された前記電子機器の接触端子と接触し、前記電子機器に電力を供給するように構成されている
電子機器セット。
【発明の詳細な説明】
【技術分野】
【０００１】
本発明は、電子機器の電子機器置き台及び電子機器と電子機器置き台とからなる電子機器セットに関する。特に本発明は、電子機器を保持した際に、電極端子が内部から突出して電子機器の接触端子と接触する電子機器置き台及び電子機器とこの電子機器置き台とからなる電子機器セットに関する。
【背景技術】
【０００２】
電子機器には、携帯電話機、携帯型音楽プレーヤーなど、充電時や使用時に電源に接続された電子機器置き台に保持されて、電力を供給される物がある。例えば、電子機器置き台が充電装置の場合には、充電装置は、交流電源などの電源に接続され、電子機器を保持することで充電用端子を電子機器の接触端子と接触させて、電子機器を充電する。
【０００３】
電子機器の電子機器置き台は、陽極及び陰極の電極端子を有し、電源に接続された状態で電極端子が露出していると、電極端子に触れて感電するおそれがある。また、金属などの導電体が充電用端子に接触したり、埃が充電用端子に堆積したりしてショートするおそれがある。
【０００４】
そのため、特許文献１には、携帯用機器を挿入保持するポケットにおいて、携帯用機器の非挿入状態では電源端子をカバー部内に入れた状態に保護し、携帯用機器が挿入される動作に連動してカバー部をポッケット内から退避して電源端子を露出した状態に切り替える携帯用電器置台が開示されている。
また、特許文献２には、被充電機器を保持する保持部に、充電用端子と保持部からスライドして出し入れされる係止部材とを備え、被充電機器を保持部に保持した状態で、係止部材が被充電機器に当接して保持部からスライドさせて出し入れされることによってスイッチが入り、充電用端子への通電を開始する充電器が開示されている。
特許文献３には、携帯電話機が装着された状態でボタンが押圧され、これによって安全スイッチが入って通電し、充電用端子が上昇して携帯電話機内の蓄電池の露出された充電用端子に接触して充電を開始する充電装置が開示されている。
【特許文献１】特開２０００−１４０２２号公報
【特許文献２】特開２００５−３１８７３４号公報
【特許文献３】特開２００６−１１５２８６号公報
【発明の開示】
【発明が解決しようとする課題】
【０００５】
しかし、特許文献１に記載の携帯用電器置台では、電源端子を保護するカバー部を設けることによって部品点数が増加し、また内部機構が複雑化するため、生産価格が増加するとともに、重量が重くなり、サイズが大きくなるという問題があった。
【０００６】
特許文献２に記載の充電器では、被充電機器を保持部に保持しない状態では充電用端子は通電していないが、充電用端子が常に露出しているため、充電用端子へ物が接触したり、引っ掛かかったりすることによって充電用端子が曲がり、充電時に被充電機器の入力端子と接触不良を生じる場合があるという問題があった。
また、係止部材及びスイッチを設けることで、部品点数が増加し、また内部機構が複雑化するため、生産価格が増加するとともに、重量が重くなり、サイズが大きくなるという問題があった。
【０００７】
特許文献３に記載の充電装置では、ボタン、スイッチ及び充電用端子を上昇させる機構に用いる部品によって部品点数が増加し、また内部機構が複雑化するため、生産価格が増加するとともに、重量が重くなり、サイズが大きくなるという問題があった。
【０００８】
そこで、電子機器を保持する際に電極端子が突出するとともに、部品点数が少なく、簡単な内部機構である電子機器置き台及び電子機器とこの電子機器置き台とからなる電子機器セットを提供することが要望されている。
【課題を解決するための手段】
【０００９】
本発明の電子機器に電力を供給する電子機器置き台は、第１ケースと第２ケースとを有し、前記第１ケースと第２ケースとの間隔が変更可能にされたケースと、前記第１ケースと前記第２ケースとの前記間隔を広げる方向に付勢する付勢手段と、前記第１ケースと前記第２ケースとの間隙に収容されて、前記第２ケースに固定された電極端子とを備え、前記第１ケースは、孔が形成された、前記電子機器を保持する保持部を有し、前記付勢手段に抗して前記第１ケースと前記第２ケースとの前記間隔を狭くしたとき、前記電極端子が前記孔から前記保持部に突出して、前記保持部に保持された前記電子機器の接触端子と接触し、前記電子機器に電力を供給するように構成されている。
【００１０】
好ましくは、前記第１ケースと前記第２ケースとは、一端を回転可能に結合し、前記一端を支点として他端が回転することにより、前記第１ケースと前記第２ケースとの間隔を変更可能に構成されている。
【００１１】
好ましくは、前記第２ケースは、前記第２ケースに一体成形された係止部を有し、前記係止部は、前記電極端子が前記電子機器の前記接触端子と電気的接続がとれた状態で前記電子機器に係止する位置に設けられる。
【００１２】
好ましくは、上記電子機器置き台は、前記第１ケース及び前記第２ケースのいずれか一方に突起を有し、他方に前記第１ケースと第２ケースとの間隔となる方向に伸びた前記突起の大きさより大きく形成された、前記突起が移動可能に配される突起被係合部を有する。
【００１３】
また、本発明の電子機器と前記電子機器に電力を供給する電子機器置き台からなる電子機器セットでは、前記電子機器置き台は、第１ケースと第２ケースとを有し、前記第１ケースと前記第２ケースとの間隔が変更可能にされたケースと、前記第１ケースと前記第２ケースとの前記間隔を広げる方向に付勢する付勢手段と、前記第１ケースと前記第２ケースとの間隙に収容されて、前記第２ケースに固定された電極端子とを備え、前記第１ケースは、孔が形成された、前記電子機器を保持する保持部を有し、前記付勢手段に抗して前記第１ケースと前記第２ケースとの前記間隔を狭くしたとき、前記電極端子が前記孔から前記保持部に突出して、前記保持部に保持された前記電子機器の接触端子と接触し、前記電子機器に電力を供給するように構成されている。
【発明の効果】
【００１４】
本発明の電子機器置き台によれば、電極端子の露出に起因する感電、ショート、及び電極端子の変形による接触不良を防止することができる。
また、本発明の電子機器置き台によれば、生産価格を低減するとともに、重量を軽減し、サイズを小さくすることができる。
【発明を実施するための最良の形態】
【００１５】
以下、本発明の電子機器置き台及び電子機器セットの好適な実施の形態について添付図面を参照して述べる。なお、本発明の一例として電子機器を携帯電話機、電子機器置き台を充電装置として説明するが、本発明はこれに限定されない。
【００１６】
図１〜図３を参照して、充電装置１について述べる。
図１（Ａ）は、本発明に係る充電装置１の斜視図である。図１（Ｂ）は、図１（Ａ）と反対方向から本発明に係る充電装置１を示した斜視図である。
図２（Ａ）は、本発明に係る充電装置１の側面図であり、充電装置１の中間部が省略して示されている。図２（Ｂ）は、図２（Ａ）のＡ視断面図である。図２（Ｃ）は、図２（Ａ）のＢ視断面図である。
図３は、図１（Ａ）のＣ視断面図である。なお、図３では、携帯電話機２が、破線で記されている。
【００１７】
充電装置１の構成について、説明する。
充電装置１は、図３に示すように、ケース１１、電極端子１２、回路基板１３、及びコイルバネ１４を有する。
ケース１１について、説明する。
ケース１１は、図１〜図３に示すように、上ケース１５及び下ケース１６を有する。ここで、上ケース１５は、本発明の第１ケースの一例である。また、下ケース１６は、本発明の第２ケースの一例である。上ケース１５と下ケース１６とは、一端がヒンジ部１７で、他端がガイド部１８で結合される。
【００１８】
上ケース１５は、図１〜図３のとおり、略板状形状の部材により形成された上面１５ａと、上面１５ａから下ケース１６側へ垂直に形成された側面１５ｂ、１５ｃとによって内部に空間１５ｄを形成し、空間１５ｄの下方を開放した形状となっている。図１のとおり、上面１５ａは、平面形状が略矩形である。ここで、側面１５ｂは、上面１５ａの長辺側に形成された側面（以下、長辺側面ということがある。）である。また、側面１５ｃは、上面１５ａの短辺側に形成された側面である。なお、側面１５ｃには、下ケース１６に取り付けられるコネクタ１９に交流電源などの電源が接続可能となるように、切欠部１５ｅが形成されている。
【００１９】
図１〜図３のとおり、上ケース１５は、上部に携帯電話機２を保持する保持部２０を有する。保持部２０は、上面１５ａと、上面１５ａの両短辺及びその周辺において上面１５ａから上方に立ち上がった第１包囲部２１及び第２包囲部２２を有する。上面１５ａには、２つの電極端子用孔２３が形成される。ここで、電極端子用孔２３は、本発明における孔の一例である。電極端子用孔２３は、上面１５ａの下部に収容される電極端子１２が携帯電話機２を充電する時に、突出する孔である。
第１包囲部２１には、保持部２０に突出した第１係止部２１ａが設けられる。第２包囲部２２には、保持部２０側に第２係止部用孔２２ａが形成される。
【００２０】
図２（Ａ）〜（Ｃ）のとおり、それぞれの長辺側面１５ｂには、第１包囲部２１側の端部にヒンジ用孔１７ａが形成され、第２包囲部２２側の端部にガイド用孔１８ａが形成される。ここで、ガイド用孔１８ａは、本発明における突起被係合部の一例である。
ヒンジ用孔１７ａは、図２（Ｂ）のとおり、長辺側面１５ｂを貫通する円形の孔である。ヒンジ用孔１７ａの内周面は、後述する下ケース１６のヒンジ用突起１７ｂの外周面より大きく形成されている。ヒンジ用孔１７ａの近傍には、図２（Ａ）のとおり、ヒンジ用突起１７ｂがヒンジ用孔１７ａに挿入し易いように、長辺側面１５ｂの下端から上方に延びるスリット２４が、ヒンジ用孔１７ａの両側に形成されている。
ガイド用孔１８ａは、図２（Ｃ）のとおり、長辺側面１５ｂを貫通する楕円形の孔である。ここで、ガイド用孔１８ａは、本発明における突起被係合部の一例である。ガイド用孔１８ａの内周面は、後述する下ケース１６のガイド用突起１８ｂの外周面より大きく形成され、かつ上ケース１５と下ケース１６との間隔の方向である上下方向に長くされて、上端１８ａ−１及び下端１８ａ−２が形成されている。ガイド用孔１８ａの近傍にも、ヒンジ用孔１７ａと同様に、ガイド用突起１８ｂがガイド用孔１８ａに挿入し易いように、スリット２４がガイド用孔１８ａの両側に形成されている。
【００２１】
図３のとおり、上ケース１５の上面１５ａの下側には、第２包囲部２２付近にコイルバネ１４を取り付け可能なコイルバネ上端取付部２５が設けられる。
【００２２】
下ケース１６は、図１〜図３のとおり、略板状形状の部材により形成された下面１６ａと側面１６ｂ、１６ｃとによって内部に空間１６ｄを形成し、空間１６ｄの上方を開放した形状である。下面１６ａは、平面形状が略矩形である。ここで、側面１６ｂは、下面１６ａの長辺側に形成された側面（以下、長辺側面ということがある。）である。また、側面１６ｃは、下面１６ａの短辺側に形成された側面である。側面１６ｂ、１６ｃは、上ケース１５の側面１５ｂ、１５ｃの内側に間隙を形成して組み込まれる大きさにされる。なお、この間隙の大きさは、ヒンジ用突起１７ｂ及びガイド用突起１８ｂの長さよりも小さい。下ケース１６の下側には、充電装置１を支持する支持部１６ｅが設けられる。
【００２３】
それぞれの長辺側面１６ｂには、図２（Ａ）〜（Ｃ）のとおり、上ケース１５のヒンジ用孔１７ａの位置に合わせてヒンジ用突起１７ｂが設けられ、上ケース１５のガイド用孔１８ａの位置に合わせてガイド用突起１８ｂが設けられる。
図２（Ｂ）のとおり、ヒンジ用突起１７ｂは、長辺側面１６ｂから外側に突出して設けられた円柱形の突起である。ヒンジ用突起１７ｂの外周面は、上述したとおり、ヒンジ用孔１７ａの内周面の大きさより小さくされている。ヒンジ用突起１７ｂの先端には、ヒンジ用孔１７ａに挿入し易くするために面取り１７ｃが施される。
図２（Ｃ）のとおり、ガイド用突起１８ｂは、長辺側面１６ｂから外側に突出して設けられた円柱形の突起である。ガイド用突起１８ｂの外周面は、上述したとおり、ガイド用孔１８ａの内周面の大きさより小さくされている。ガイド用突起１８ｂの先端には、ガイド用孔１８ａに挿入し易くするために面取り１８ｃが施される。
【００２４】
図３のとおり、下ケース１６の下面１６ａの上側には、上ケース１５に設けられたコイルバネ上端取付部２５と上下方向において対向する位置に、コイルバネ１４を取り付け可能なコイルバネ下端取付部２６が設けられる。
また、下ケース１６の下面１６ａの上側には、上ケース１５の保持部２０における第２係止部用孔２２ａから先端部２７ａが突出するようにして、第２係止部２７が設けられる。先端部２７ａは、例えば爪形状のように、携帯電話機２に係止する形状となっている。先端部２７ａは、後述するとおり、携帯電話機２が電極端子１２の突出部１２ａと接触する状態において、携帯電話機２に係止する高さになっている。第２係止部２７は、下面１６ａとの固定部２７ｂを支点として撓むことによって、先端部２７ａが保持部２０から退出可能となっている。
下ケース１６の下面１６ａの上側には、回路基板１３を固定するための基板固定部２８が設けられる。
【００２５】
ケース１１は、上述した上ケース１５と下ケース１６とを組み合わせて形成される。上ケース１５と下ケース１６とは、上ケース１５の内側に下ケース１６を組み込み、ヒンジ部１７及びガイド部１８で結合されて、組み合わされる。
上ケース１５への下ケース１６の組み込みでは、下ケース１６の側面１６ｂ、１６ｃの外側と、上ケース１５の側面１５ｂ、１５ｃの内側とで間隙が形成される。そして、下ケース１６の側面１６ｂ、１６ｃと、上ケース１５の側面１５ｂ、１５ｃとが重なり合う量を変更することで、上ケース１５と下ケース１６との間隔が変更可能となる。なお、図２（Ｂ）、（Ｃ）のとおり、上ケース１５の側面１５ｂ、１５ｃの下端内側に面取り１５ｆが施されていることで、下ケース１６の上ケース１５への組み込みが容易になっている。
【００２６】
ヒンジ部１７における結合では、上ケース１５のヒンジ用孔１７ａに下ケース１６のヒンジ用突起１７ｂが挿入される。ヒンジ用孔１７ａの内周面がヒンジ用突起１７ｂの外周面より大きく形成されていることで、ヒンジ用孔１７ａとヒンジ用突起１７ｂとの接触部における摩擦抵抗が小さくなっているため、上ケース１５と下ケース１６とは、ヒンジ部１７を支点として相対的に回転可能となっている。この回転により、上ケース１５と下ケース１６との重なり合う量が変更されることで、上ケース１５と下ケース１６との間隔が変更される。
なお、ヒンジ用孔１７ａの両側にスリット２４が形成されていることにより、スリット２４の間が撓み易くなる。そのため、ヒンジ用突起１７ｂのヒンジ用孔１７ａへの挿入が容易になっている。
【００２７】
ガイド部１８における結合では、上ケース１５のガイド用孔１８ａに下ケース１６のガイド用突起１８ｂが挿入される。ガイド用孔１８ａの内周面は、ガイド用突起１８ｂの外周面より大きく形成され、ガイド用孔１８ａが上下方向に大きく形成されていることで、ガイド用突起１８ｂはガイド用孔１８ａ内を上下方向に移動可能となっている。ガイド部１８では、ガイド用孔１８ａの大きさにより、上ケース１５と下ケース１６との間隔を所定範囲に規定する。
なお、ガイド用孔１８ａの両側にスリット２４が形成されていることにより、スリット２４の間が撓み易くなる。そのため、ガイド用突起１８ｂのガイド用孔１８ａへの挿入が容易になっている。
【００２８】
このようにして上ケース１５と下ケース１６とを組み合わせることで、下ケース１６の第２係止部２７の先端部２７ａが、第２係止部用孔２２ａから突出する。また、上ケース１５のコイルバネ上端取付部２５と下ケース１６のコイルバネ下端取付部２６とが、上下方向に対向して配置される。
【００２９】
電極端子１２について、説明する。
電極端子１２は、図３のとおり、棒状又は平板状などの長尺部材である。電極端子１２の一端は突出部１２ａであり、他端は結合部１２ｂである。
突出部１２ａは、携帯電話機２の接触端子２ａと接触する部分である。突出部１２ａは、湾曲形状に曲げられる。
結合部１２ｂは、回路基板１３に通電可能に結合される。電極端子１２は、突出部１２ａが上方に湾曲し、上ケース１５の電極端子用孔２３の下方に配置されるようにして、結合部１２ｂで回路基板１３に結合される。電極端子１２は、結合部１２ｂで回路基板１３に結合されることによって、結合部１２ｂを固定端、突出部１２ａを自由端とする梁となる。そのため、電極端子１２は、外力による撓みによって、外力に対抗する方向に弾性力を生じる。
電極端子１２は、後述するように、回路基板１３が下ケース１６に固定されることで、回路基板１３を介して下ケース１６に固定される。このように、電極端子１２は下ケース１６に直接固定されるだけでなく、他の部材を介して間接的に下ケース１６に固定されても良い。
【００３０】
回路基板１３について、説明する。
回路基板１３には、電気回路が形成されている。電気回路は、携帯電話機２に取り付けられた充電池２ｂの充電を制御する。電気回路には、コネクタ１９及び電極端子１２の結合部１２ｂが結合される。コネクタ１９は図示しない電源に接続され、電源からコネクタ１９を介して供給された電力は、電気回路で制御された後に、電極端子１２へ通電される。なお、電源としては、交流電源又は直流電源を用いることが可能であるが、交流電源を用いる場合には、電気回路での制御により交流電流が直流電流に変換されるように構成する。
回路基板１３は、下ケース１６の下面１５ａに設けられた基板固定部２８に固定される。
【００３１】
コイルバネ１４について、説明する。
コイルバネ１４は、本発明における付勢手段の一例である。コイルバネ１４は、ケース１１の内部において、下ケース１６と上ケース１５との間に配置される。コイルバネ１４は、上端が上ケース１５の内側に設けられたコイルバネ上端取付部２５に取り付けられ、下端が下ケース１６の内側に設けられたコイルバネ下端取付部２６に取り付けられる。
コイルバネ１４により、上ケース１５及び下ケース１６は、間隔を広げる方向に付勢される。
【００３２】
充電装置１の使用について、図３及び図４（Ａ）、（Ｂ）を参照して説明する。
図３では、携帯電話機２を保持部２０に収容する前の充電装置１が示されている。図４（Ａ）は、携帯電話機２を保持部２０に収容した充電装置１を示す図である。図４（Ｂ）は、携帯電話機２を保持部２０に保持した充電装置１を示す図である。図３及び図４（Ａ）、（Ｂ）では、携帯電話機２が破線で示されている。
なお、図４において図３と同一の構成である部材については、同一の符号を付して説明を省略する。
【００３３】
図３のとおり、充電装置１は、携帯電話機２を保持部２０に保持しない状態では、コイルバネ１４での付勢によって、上ケース１５と下ケース１６との間隔が、ガイド部１８で規定される所定範囲において、最大となっている。この状態では、ガイド部１８において、ガイド用突起１８ｂがガイド用孔１８ａの下端１８ａ−２と接触しており、ガイド用孔１８ａの大きさの設定により、電極端子１２の突出部１２ａは、上ケース１５と下ケース１６との間隙に収容されて、保持部２０に突出しないようになっている。
【００３４】
携帯電話機２を充電するときは、図３に示すように、携帯電話機２に設けられた第１係止部用凹部２ｃを、充電装置１の保持部２０の第１包囲部２１に設けられた第１係止部２１ａと係合する。そして、この係合箇所を支点として、携帯電話機２の他端を矢印Ｄの方向に回転させて、保持部２０に押し込む。
【００３５】
図４（Ａ）に示すように、携帯電話機２を保持部２０に押し込むことによって、保持部２０に突出した第２係止部２７の先端部２７ａが携帯電話機２に接触する。これにより、第２係止部２７は固定部２７ｂを支点にして撓んで、先端部２７ａは保持部２０から退出する。そして、携帯電話機２は、上ケースの上面１５ａに接触し、第１包囲部２１、第２包囲部２２に囲まれて保持部２０に収容される。この状態では、携帯電話機２に設けられた第２係止部用凹部２ｄに、第２係止部２７の先端部２７ａが係止していないため、携帯電話機２は保持部２０に保持されていない。
【００３６】
携帯電話機２は、保持部２０に収容されて上ケースの上面１５ａに接しているため、携帯電話機２を保持部２０にさらに押し込むことで、上ケース１５が下方に押圧される。これにより、上ケース１５は、コイルバネ１４の付勢に抗して、ヒンジ部１７（図２参照）を支点として下方に回転する。この時、ガイド部１８では、ガイド用孔１８ａが下方に移動し、ガイド用突起１８ｂがガイド用孔１８ａの上端１８ａ−１付近まで配されるようになる（図２参照）。これにより、上ケース１５と下ケース１６との間隔が狭くなる。
【００３７】
図４（Ｂ）に示すように、上ケース１５と下ケース１６との間隔が狭くなると、ガイド部１８のガイド用突起１８ｂがガイド用孔１８ａの上端１８ａ−１付近に到達するまでの所定の位置で、電極端子１２の突出部１２ａは、電極端子用孔２３から保持部２０に突出する。なお、この時、ガイド用孔１８ａの上端１８ａ−１近くまでガイド用突起１８ｂは配されるものの、ガイド用突起１８ｂはガイド用孔１８ａの上端１８ａ−１へ接触することはなく、ガイド用孔１８ａの上端１８ａ−１とガイド用突起１８ｂとの間には、１ｍｍ程の隙間が生じている。
これにより、携帯電話機２の接触端子２ａが電極端子１２の突出部１２ａと接触し、携帯電話機２の充電池２ｂは、コネクタ１９に接続された図示しない電源から回路基板１３を通って電力が供給されて、充電される。
この時、電極端子１２の突出部１２ａは、携帯電話機２から下方へ力を受けて撓む。そのため、梁の弾性力によって電極端子１２の突出部１２ａは、携帯電話機２の接触端子２ａに押し付けられる。
【００３８】
携帯電話機２は、上ケース１５と一緒に下方に移動するため、携帯電話機２の接触端子２ａが電極端子１２の突出部１２ａと接触する位置まで上ケース１５が移動することで、第２係止部２７の先端部２７ａが携帯電話機２の第２係止部用凹部２ｄに到達する。これにより、第２係止部２７は撓みを戻し、先端部２７ａを携帯電話機２の第２係止部用凹部２ｄに係合して、携帯電話機２を保持部２０に保持する。
これにより、充電装置１では、携帯電話機２を充電状態に保持する。
【００３９】
このように、充電装置１では、部品点数の少ない簡単な内部機構で、電極端子１２の突出部１２ａを保持部２０に突出させて、保持部２０に保持された携帯電話機２の接触端子２ａと接触させる構成にすることにより、露出した電極端子１２による感電、ショート、及び変形による接触不良が防止され、かつ、生産価格を低減することができる。
【００４０】
特に、充電装置１では、上ケース１５と下ケース１６とを、例えばヒンジ部１７のように、一端を回転可能に結合するという簡単な機構により、上ケース１５と下ケース１６との間隔が変更可能にされている。そのため、充電装置１の部品点数が削減され、生産価格を低減することができる。
【００４１】
また、下ケース１６が一体成形された第２係止部２７を有するという簡単な機構で、充電状態となった携帯電話機２を保持部２０に保持することができるため、充電装置１の部品点数が削減され、生産価格を低減することができる。
【００４２】
また、スリット２４がヒンジ用孔１７ａ及びガイド用孔１８ａの両側に形成されることにより、上ケース１５の可撓性が増す。これによって、充電装置１を組み立てる際に、次のような効果が生じる。
充電装置１は、上ケース１５が下ケース１６を上から覆うような配置となっているが、これらが組み立てられる時、第１包囲部２１と第２包囲部２２とにスリット２４を広げる方向（第１包囲部２１と第２包囲部２２とを離す方向）の力を加えることによって、下ケース１６を挿入する上ケース１５の開口部１５ｘの面積を大きくすることができる。よって、下ケース１６を上ケース１５に組み込む作業の作業効率を上げることが可能である。
【００４３】
また、充電装置１が携帯電話機２を充電する状態となった時、電極端子１２の突出部１２ａは、電極端子１２の梁の弾性力によって携帯電話機２の接触端子２ａを押圧する。この際、携帯電話機２には、梁の復元力によって上方向への力が加わるものの、携帯電話機２は、同時に第１係止部２１ａ及び第２係止部２７によって保持部２０に保持されて、第１係止部２１ａ及び第２係止部２７により反作用の力を下向きに受ける。つまり、携帯電話機２は、電極端子１２の突出部１２ａから力を受けても、その方向に移動することはない。よって、電極端子１２の突出部１２ａによって携帯電話機２が強く押圧されるように構成することで、電極端子１２の突出部１２ａと携帯電話機２の接触端子２ａとの電気的接触を、さらに安定させることが可能である。
【００４４】
また、携帯電話機２が充電装置１に置かれていない状態では、ガイド部１８のガイド用突起１８ｂは、ガイド用孔１８ａの下端１８ａ−２に接した状態になるため、充電装置１では上ケース１５が下ケース１６から外れることが防がれている。
一方、携帯電話機２が充電時に充電装置１の保持部２０に保持された状態では、ガイド部１８のガイド用突起１８ｂは、ガイド用孔１８ａの上端１８−１に近づくものの、接触はしない。これにより、上ケース１５は、第２係止部２７が携帯電話機２に係止する位置となる前に下方への移動を制限されることがないため、携帯電話機２を充電装置１の保持部２０に確実に保持することが可能である。
【００４５】
このように、ガイド部１８によって上ケース１５と下ケース１６とを結合することで、上ケース１５と下ケース１６との間隔が、ガイド部１８で規定された範囲で変更可能となるため、上ケース１５と下ケース１６との間隔を適正に保つことができる。
また、ガイド部１８は、ガイド用孔１８ａとガイド用突起１８ｂで構成される簡単な機構であるため、充電装置１の部品点数が削減され、生産価格を低減することができる。
【００４６】
なお、上ケース１５では、第１包囲部２１、第２包囲部２２及び第１係止部２１ａなどの各部が、上ケース１５に一体成形されることが好ましい。これによれば、充電装置１の部品点数が削減され、製造コストを低減することができる。
また、上ケース１５の材料としては、導電体以外の形状を保持する強度を有する材料が用いられるが、好ましくは合成樹脂である。これによれば、金型に合成樹脂を射出成形することにより、上ケース１５において上記各部を容易に一体成形することができる。
【００４７】
下ケース１６においても、同様に、第２係止部２７の他に、ヒンジ用突起１７ｂ、ガイド用突起１８ｂ、コイルバネ取付部２６、基板固定部２８などの部分が、下ケース１６に一体成形されることが好ましい。
また、下ケース１６の材料としては、上ケース１５と同様に、合成樹脂が好ましい。これによれば、金型に合成樹脂を射出成形することにより、下ケース１６において上記各部を容易に一体成形することができる。
【００４８】
上述した本発明における実施の形態では、付勢手段をコイルバネ１４として説明したが、本発明の付勢手段は、コイルバネ１４に限定されない。例えば、コイルバネ１４に代えて、上ケース１５又は下ケース１６の内側に板バネを設けることも可能である。なお、この板バネを上ケース１５又は下ケース１６と一体成形することで、さらに部品点数が削減され、製造コストを低減することができる。
また、付勢手段としては、他にも、巻きバネなどのような構造的な弾性部材、ゴム、スポンジ及び軟質樹脂などのような材質的な弾性部材、並びに電気的又は磁気的に生じる力などを用いることなどが可能である。
【００４９】
上記実施の形態では、上ケース１５と下ケース１６とを、一端をヒンジ部１７で、他端をガイド部１８で結合したが、両端をガイド部１８で結合することも可能である。
この場合には、ケース１１の両端で上ケース１５と下ケース１６との間隔が変更可能となることから、ケース１１の両端において、下ケース１６に第２係止部２７を設けることにより、携帯電話機２を充電状態で、保持部２０に確実に保持することができる。
【００５０】
また、携帯電話機２が自重により保持部２０に保持され、コイルバネ１４の弾性力を調節することによって、携帯電話機２の自重により上ケース１５が下方に移動し、これにより電極端子１２の突出部１２ａが保持部２０に突出して携帯電話機２の接触端子２ａと接触して、携帯電話機２の充電池２ｂが充電されるような場合には、充電装置１において、第１係止部２１ａ及び第２係止部２７を設けなくても良い。
特に、携帯電話機２と充電装置１とを携帯電話機セットとする場合には、携帯電話機２の重量に合わせて充電装置１を設計可能であるため、このように保持部２０及びコイルバネ１４を設計することが可能である。
【００５１】
なお、上記実施の形態では、ヒンジ用孔１７ａ及びガイド用孔１８ａを孔として説明したが、ヒンジ用孔１７ａ及びガイド用孔１８ａは孔に限定されず、例えば、底部を有する凹形状にすることもできる。
【００５２】
また、上記実施の形態は、本発明に係る電子機器置き台及び電子機器セットの一例であって、本発明は上記実施の形態の構成に限定されず、種々の変形態様を採用することが可能である。
また、電子機器置き台を充電装置１、電子機器を携帯電話機２として説明したが、本発明はこれに限定されず、例えば、携帯型音楽プレーヤー、デジタルカメラ、携帯型ゲーム機などの電子機器に電力を供給する充電装置又は電力供給装置などの電子機器置き台、及びこれらの電子機器と電子機器置き台とからなる電子機器セットとして、本発明を使用することが可能である。
【図面の簡単な説明】
【００５３】
【図１】図１（Ａ）は、本発明に係る充電装置の斜視図であり、図１（Ｂ）は、図１（Ａ）と反対方向から本発明に係る充電装置を示す斜視図である。
【図２】図２（Ａ）は、本発明に係る充電装置の側面図であり、図２（Ｂ）は、図２（Ａ）のＡ視断面図であり、図２（Ｃ）は、図２（Ａ）のＢ視断面図である。
【図３】図３は、図１（Ａ）のＣ視断面図である。
【図４】図４（Ａ）は、携帯電話機を保持部に収容した充電装置を示す図であり、図４（Ｂ）は、携帯電話機を保持部に保持した充電装置を示す図である。
【符号の説明】
【００５４】
１…充電装置、
２…携帯電話機、２ａ…接触端子
２ｃ…第１係止部用凹部、２ｄ…第２係止部用凹部
１１…ケース、１２…電極端子、１３…回路基板、１４…コイルバネ
１５…上ケース、１５ｘ…開口部、１６…下ケース、１７…ヒンジ部
１８…ガイド部、１８ａ…ガイド用孔、１８ａ−１…上端、１８ａ−２…下端
１８ｂ…ガイド用突起
２０…保持部、２１…第１包囲部、２１ａ…第１係止部
２２…第２包囲部、２２ａ…第２係止部用孔、２３…電極端子用孔
２７…第２係止部、２７ａ…先端部、２７ｂ…固定部
【図１】
2008251284.tif 000003
【図２】
2008251284.tif 000004
【図３】
2008251284.tif 000005
【図４】
2008251284.tif 000006